(57)【要約】      （修正有）【課題】固定がより安定しており、信頼性が高い、自動車用のバックミラーイベントデータレコーダを提供する。【解決手段】レコーダのホスト１００と、レコーダのホストを車に固定する連結部材２００とを備えるバックミラーイベントデータレコーダであって、連結部材が係合部材２１０とホルダ部材２２０とを備え、係合部材がレコーダのホストの後側に設けられ、ホルダ部材が車に固定接続され、係合部材がホルダ部材に挿着される。ホルダ部材が直接接着により固定され、レコーダのホストが係合部材を介して直接ホルダ部材に挿入され、より取り付けやすくなる。更に、連結部材に位置決めのための磁気吸引部品２３０が設けられ、係合部材とホルダ部材が緊密に結合する。【選択図】図１
0003225502.tif 000002
【実用新案登録請求の範囲】
【請求項１】
レコーダのホスト１００を備えるバックミラーイベントデータレコーダにおいて、前記レコーダのホスト１００を車に固定する連結部材２００をさらに備え、前記連結部材２００が係合部材２１０とホルダ部材２２０とを備え、前記係合部材２１０が前記レコーダのホストの後側に設けられ、前記ホルダ部材２２０が車に固定接続され、前記係合部材２１０が前記ホルダ部材２２０に挿着されることを特徴とする、バックミラーイベントデータレコーダ。
【請求項２】
前記ホルダ部材２２０が連結プレート２２１を備え、前記連結プレート２２１の上側に上スライドレール２２２１が設けられており、下側に下スライドレール２２２２が設けられており、前記上スライドレール２２２１と下スライドレール２２２２によって前記係合部材２１０が挟み込まれていることを特徴とする、請求項１に記載のバックミラーイベントデータレコーダ。
【請求項３】
前記係合部材２１０が左側部２１１を備え、前記左側部２１１全体の輪郭が半円と高さが当該半円の直径である直角台形との組合せであり、当該直角台形の上側面が前記上スライドレール２２２１の内側面に当接され、当該直角台形の下側面が前記下スライドレール２２２２の内側面に当接されることを特徴とする、請求項２に記載のバックミラーイベントデータレコーダ。
【請求項４】
当該直角台形の上側面の長さが当該直角台形の下側面の長さよりも小さく、それに応じて、当該直角台形の上側面と嵌合する上スライドレール２２２１の長さも同様に当該直角台形の下側面と嵌合する下スライドレール２２２２の長さよりも小さいことを特徴とする、請求項３に記載のバックミラーイベントデータレコーダ。
【請求項５】
前記連結プレート２２１の右側が半円であり、当該半円の辺縁に側方向位置規制フランジ２２２３が設けられており、前記左側部２１１の半円部分の側面が前記側方向位置規制フランジ２２２３の内側面に当接されることを特徴とする、請求項４に記載のバックミラーイベントデータレコーダ。
【請求項６】
前記上スライドレール２２２１の内側面と、連結プレート２２１の内側面と、下スライドレール２２２２の内側面とが組合せてアリ溝を形成し、それに応じて、前記係合部材２１０の当該アリ溝内に延出した部分の断面も燕尾形状となることを特徴とする、請求項５に記載のバックミラーイベントデータレコーダ。
【請求項７】
前記上スライドレール２２２１と前記下スライドレール２２２２の左端面が全て斜面であり、両者の斜面の延長線が右側に交差しており、前記ホルダ部材２２０が前記上スライドレール２２２１と前記下スライドレール２２２２の左端面に接触する部分もそれに合わせる斜面であることを特徴とする、請求項６に記載のバックミラーイベントデータレコーダ。
【請求項８】
前記連結部材２００に位置決めのための磁気吸引部品２３０が設けられていることを特徴とする、請求項１〜７の何れか１項に記載のバックミラーイベントデータレコーダ。
【請求項９】
前記磁気吸引部品２３０が、それぞれ前記係合部材２１０と前記ホルダ部材２２０に設けられ、吸引力を生成できる第１の部材２３１と第２の部材２３２とを備えることを特徴とする、請求項８に記載のバックミラーイベントデータレコーダ。
【請求項１０】
前記磁気吸引部品２３０が、それぞれ前記係合部材２１０と前記ホルダ部材２２０に設けられ、吸引力を生成できる第３の部材２３３と第４の部材２３４とをさらに備えることを特徴とする、請求項９に記載のバックミラーイベントデータレコーダ。
【考案の詳細な説明】
【技術分野】
【０００１】
本考案は、自動車用スマートデバイスの分野に関し、特に、バックミラーイベントデータレコーダに関する。
【背景技術】
【０００２】
バックミラーイベントデータレコーダは現在自動車用品で消費者から非常に好かれている製品である。バックミラーレコーダが自動車の車内バックミラーにセットされることで、乗用者が全て近距離でバックミラーレコーダを見かけ、体験することができることを意味する。従来の取付方法は、通常、美観に影響し、又は取付が不便となる。現在市販されているバックミラーイベントデータレコーダの取付方法は主として、以下のいくつかの方法がある。
【０００３】
結束テープによる固定。市場において、結束テープの形でレコーダを自動車のコックピットにおける既存のバックミラーに縛ることが最も一般的である。このような取付と固定方式は簡単であるが、結束テープと結束テープの固定フックがあるので、美観に影響し、市場において最も多く用いられる。
【０００４】
改造による固定。第２種について、自動車の既存の車内バックミラーを取り外し、専用ホルダに切り替えてバックミラーレコーダを固定することが必要である。この取付と固定方式は元の自動車の車内バックミラーを取り外して改造することが必要であるので、面倒であり、かつ改造及びアクセサリーのコストが余分に高くなる。
【０００５】
磁気吸引による固定。第３種は磁気吸引により吸着する取付方法である。この取付が安定していないため、バックミラーイベントデータレコーダは、車が上下に揺れ、急速に加速する場合外れ、二次損害をもたらしやすいので、市場受容性が低い。
【０００６】
更に、公開番号がＣＮ２０５８８０９４０Ｕである実用新案特許にはイベントデータレコーダが開示されている。前記イベントデータレコーダは、レコーダ本体と、レコーダ本体をバックミラーに貼り付けるためのフック部品とを備え、前記レコーダ本体の裏面にＴ形係合溝が設けられており、前記フック部品はフックの雄型スナップを備え、前記フックの雄型スナップはＨ形であり、Ｔ形係合溝とマッチし、前記フックの雄型スナップがＴ形係合溝に係止され、かつフックの雄型スナップのレコーダ本体に接触する一面に防振フォームが貼っており、前記フックの雄型スナップの他面に耐高温ガムが貼っており、フックの雄型スナップは耐高温ガムを介してレコーダ本体をバックミラーに貼り付ける。このようなバックル式の構造による固定は、道路状況がでこぼこする場合、固定の安定性に足りなく、市場にはめったにない。
【０００７】
現在、より取り付けやすくなり、その固定が安定しており、信頼できるイベントデータレコーダがまだ必要であるので、消費者及び市場の製品に対する繰返しアップグレードの緊急性に基づき、従来技術はまだ改善と向上の余地がある。
【考案の概要】
【０００８】
上記従来技術の欠点に鑑みて、本考案の目的は、より取り付けやすくなり、その固定が安定しており、信頼できるバックミラーイベントデータレコーダを提供することである。
【０００９】
以上の課題を解決するために、本考案は以下の技術的手段を用いている。
【００１０】
本考案は、レコーダのホストと、前記レコーダのホストを車に固定する連結部材とを備えるバックミラーイベントデータレコーダであって、前記連結部材が係合部材とホルダ部材とを備え、前記係合部材が前記レコーダのホストの後側に設けられ、前記ホルダ部材が車に固定接続され、前記係合部材が前記ホルダ部材に挿着されるバックミラーイベントデータレコーダを提供する。
【００１１】
更に、前記ホルダ部材が連結プレートを備え、前記連結プレートの上側に上スライドレールが設けられており、下側に下スライドレールが設けられており、前記上スライドレールと下スライドレールによって前記係合部材が挟み込まれている前記バックミラーイベントデータレコーダ。
【００１２】
具体的には、前記係合部材が左側部を備え、前記左側部全体の輪郭が半円と高さが当該半円の直径である直角台形との組合せであり、当該直角台形の上側面が前記上スライドレールの内側面に当接され、当該直角台形の下側面が前記下スライドレールの内側面に当接される前記バックミラーイベントデータレコーダ。
【００１３】
更に、当該直角台形の上側面の長さが当該直角台形の下側面の長さよりも小さく、それに応じて、当該直角台形の上側面と嵌合する上スライドレールの長さも同様に当該直角台形の下側面と嵌合する下スライドレールの長さよりも小さい前記バックミラーイベントデータレコーダ。
【００１４】
具体的には、前記連結プレートの右側が半円であり、当該半円の辺縁に側方向位置規制フランジが設けられており、前記左側部の半円部分の側面と前記側方向位置規制フランジの内側面に当接される前記バックミラーイベントデータレコーダ。
【００１５】
更に、前記上スライドレールの内側面と、連結プレートの内側面と、下スライドレールの内側面とが組合せてアリ溝を形成し、それに応じて、前記係合部材の当該アリ溝内に延出した部分の断面も燕尾形状となる前記バックミラーイベントデータレコーダ。
【００１６】
更に、前記上スライドレールと前記下スライドレールの左端面が全て斜面であり、両者の斜面の延長線が右側に交差しており、前記ホルダ部材が前記上スライドレールと前記下スライドレールの左端面に接触する部分もそれに合わせる斜面である前記バックミラーイベントデータレコーダ。
【００１７】
一つの好ましい実施の形態において、前記連結部材に位置決めのための磁気吸引部品が設けられている前記バックミラーイベントデータレコーダ。
【００１８】
具体的には、前記磁気吸引部品が、それぞれ前記係合部材と前記ホルダ部材に設けられ、吸引力を生成できる第１の部材と第２の部材とを備える前記バックミラーイベントデータレコーダ。
【００１９】
更に、前記磁気吸引部品が、それぞれ前記係合部材と前記ホルダ部材に設けられ、吸引力を生成できる第３の部材と第４の部材とをさらに備える前記バックミラーイベントデータレコーダ。
【００２０】
従来技術に比べ、本考案は、レコーダのホストと、前記レコーダのホストを車に固定する連結部材とを備えるバックミラーイベントデータレコーダであって、前記連結部材が係合部材とホルダ部材とを備え、前記係合部材が前記レコーダのホストの後側に設けられ、前記ホルダ部材が車に固定接続され、前記係合部材が前記ホルダ部材に挿着されるバックミラーイベントデータレコーダを提供する。本考案は、従来技術中の束縛、改造を用いる取付方法の代わりに、レコーダのホストにおける係合部材と前記ホルダ部材とが挿着される方式で取付固定を行う。なかでも、前記ホルダ部材が直接接着により固定され得、レコーダのホストが係合部材を介して直接ホルダ部材に挿入され得、改造する必要がなく、より取り付けやすくなる。かつ、磁気吸引による固定又はバックル式固定を直接用いることに対して、本考案に係る係合部材とホルダ部材が緊密に結合し、その固定がより安定しており、信頼性が高い。
【図面の簡単な説明】
【００２１】
【図１】本考案により提供されるバックミラーイベントデータレコーダの概略構成図である。
【図２】本考案により提供されるバックミラーイベントデータレコーダがアンチロールホルダを取り外した状態を示す概略構成図である。
【図３】本考案により提供されるバックミラーイベントデータレコーダのアンチロールホルダの概略図である。
【図４】本考案により提供されるバックミラーイベントデータレコーダの連結部材の概略断面図である。
【図５】本考案により提供されるバックミラーイベントデータレコーダとバックミラーの概略構成図である。
【考案を実施するための形態】
【００２２】
本考案の目的、技術的手段及びメリットをより明らかにするために、以下に添付図面及び実施の形態を参照しながら、本考案をより詳細に説明する。なお、ここで記述される具体的な実施の形態は本考案の解釈のみに用いられ、本考案を限定するためのものではないことを理解すべきである。
【００２３】
なお、部材が別の部材「に装着される」、「に固定される」又は「に設けられる」と言われる場合、直接別の部材に存在してもよく、又は同時に中間部材が存在する可能性がある。一つの部材が別の部材「に連結される」と言われる場合、直接別の部材に連結されてもよく、又は同時に中間部材が存在する可能性がある。
【００２４】
更に、本考案に係る実施の形態中の左、右、上、下等の方向用語は、互いに相対的概念であり、又は製品の正常使用状態を参照とするものであり、制限性を有するものと考えるべきではない。
【００２５】
図１、図２、図３に示すように、本考案は、レコーダのホスト１００と、前記レコーダのホスト１００を車に固定する連結部材２００とを備えるバックミラーイベントデータレコーダであって、前記連結部材２００が係合部材２１０とホルダ部材２２０とを備え、前記係合部材２１０が前記レコーダのホスト１００の後側に設けられ、前記ホルダ部材２２０が車に固定接続され、具体的には、前記ホルダ部材２００が自動車のバックミラーに固定接続され、前記係合部材２１０が前記ホルダ部材２２０に挿着されるバックミラーイベントデータレコーダを提供する。本考案は、従来技術中の束縛、改造を用いる取付方法の代わりに、レコーダのホスト１００における係合部材２１０と前記ホルダ部材２２０とが挿着される方式で取付固定を行う。なかでも、前記ホルダ部材２２０は、直接接着により固定され得、前記レコーダのホスト１００が係合部材２１０を介して直接ホルダ部材２２０に挿入され取付を完成させることができ、改造する必要がなく、より取り付けやすくなり、取付効果が簡潔で綺麗である。かつ、磁気吸引による固定又はバックル式固定を直接用いることに対して、本考案に係る係合部材２１０とホルダ部材２２０が緊密に結合し、その固定がより安定しており、信頼性が高い。
【００２６】
更に、本考案により提供されるバックミラーイベントデータレコーダでは、前記ホルダ部材２２０が連結プレート２２１を備え、前記連結プレート２２１の上側に上スライドレール２２２１が設けられており、下側に下スライドレール２２２２が設けられており、前記上スライドレール２２２１と下スライドレール２２２２によって前記係合部材２１０が挟み込まれている。一方、前記係合部材２１０は便利にワンステップで上スライドレール２２２１と下スライドレール２２２２との間に挿入され得、着脱が簡単で、便利で、素早くなる。他方、イベントデータレコーダの固定の安定性と信頼性を十分に確保するように、前記上スライドレール２２２１と下スライドレール２２２２は係合部材を緊密に挟み込む。
【００２７】
具体的には、本考案により提供されるバックミラーイベントデータレコーダでは、前記係合部材２１０が左側部２１１を備え、前記左側部２１１全体の輪郭が半円と高さが当該半円の直径である直角台形との組合せであり、当該直角台形の上側面が前記上スライドレール２２２１の内側面に当接され、当該直角台形の下側面が前記下スライドレール２２２２の内側面に当接される。前記左側部２１１の半円部分に係合部材を挿入しやすくなることが可能であり、もちろん、当該半円は、他の挿入しやい形状、例えば楕円形、アーチ形、三角形、台形、楔形等を用いてもよい。左側部２１１の直角台形部分が直接前記上スライドレール２２２１及び下スライドレール２２２２と挿着嵌合される主付勢部とされる。
【００２８】
更に、本考案により提供されるバックミラーイベントデータレコーダでは、当該直角台形の上側面の長さが当該直角台形の下側面の長さよりも小さく、それに応じて、当該直角台形の上側面と嵌合する上スライドレール２２２１の長さも同様に当該直角台形の下側面と嵌合する下スライドレール２２２２の長さよりも小さい。左側部２１１の直角台形部分の下側面は、当該直角台形の上側面に対して、重力の影響を受け、直角台形の下側面（及び下スライドレール）がより大きく付勢されるので、当該直角台形の下側面の長さが当該直角台形の上側面の長さよりも大きいことは、イベントデータレコーダの固定の安定性に有利である。
【００２９】
具体的には、本考案により提供されるバックミラーイベントデータレコーダでは、前記連結プレート２２１の右側が対応して半円であり、当該半円の辺縁に側方向位置規制フランジ２２２３が設けられており、前記左側部２１１の半円部分の側面が前記側方向位置規制フランジ２２２３の内側面に当接される。側方向位置規制フランジ２２２３は係合部材２１０の位置をさらに制限することができ、連結部材２００の固定の信頼性をさらに向上することに有利である。
【００３０】
図２、図３及び図４を併せて参照する。好ましくは、本考案により提供されるバックミラーイベントデータレコーダでは、前記上スライドレール２２２１の内側面と、連結プレート２２１の内側面と、下スライドレール２２２２の内側面とが組合せてアリ溝を形成し、それに応じて、前記係合部材２１０の当該アリ溝内に延出した部分の断面も燕尾形状となる。前記係合部材２１０とホルダ部材２２０がアリ溝の形で係止固定されることは、取付の安定性を確保することに有利である。
【００３１】
更に、本考案により提供されるバックミラーイベントデータレコーダでは、前記上スライドレール２２２１と前記下スライドレール２２２２の左端面が全て斜面であり、両者の斜面の延長線が右側に交差しており、前記ホルダ部材２２０が前記上スライドレール２２２１と前記下スライドレール２２２２の左端面に接触する部分もそれに合わせる斜面であり、さらに位置を規制することに用いられる。
【００３２】
好ましくは、本考案により提供されるバックミラーイベントデータレコーダでは、前記連結部材２００に位置決めのための磁気吸引部品２３０が設けられている。前記磁気吸引部品２３０は、係合部材２１０がホルダ部材２２０に挿入される場合、位置決めを助ける役割を果たし、連結プレート２２１と係合部材との間の貼合力を増加し、さらに連結の安定性を確保することができる。
【００３３】
具体的には、本考案により提供されるバックミラーイベントデータレコーダでは、前記磁気吸引部品２３０が、それぞれ前記係合部材２１０と前記ホルダ部材２２０に設けられ、吸引力を生成できる第１の部材２３１と第２の部材２３２とを備える。
【００３４】
更に、本考案により提供されるバックミラーイベントデータレコーダでは、前記磁気吸引部品２３０が、それぞれ前記係合部材２１０と前記ホルダ部材２２０に設けられ、吸引力を生成できる第３の部材２３３と第４の部材２３４とをさらに備える。二つの部位の磁気吸引を介して、連結の安定性をさらに確保した。
【００３５】
図５を併せて参照する。本考案の着脱過程の一例に関して、ホルダ部材２２０の取付について、まず両面テープでホルダ部材２２０の裏面を元の車内バックミラーに強固に粘着させる。ホルダ部材２２０の裏面の大面積両面テープは強い粘着力を生成し、重いものを載置と固定することができる。レコーダのホストの取付について、ホルダ部材２２０を取り付けた後、レコーダのホスト１００の裏面における係合部材２１０の左側部の半円部分をホルダ部材２２０の連結プレート２２１におけるスライドレールのない部分に貼り合わせ、前記係合部材２２０の下側面がホルダ部材２２０の下スライドレール２２２２に接触し、横方向に矢印の方向に沿ってホルダ部材に横方向挿入すれば、固定取付けが完成する。横方向挿入の過程について、矯正磁気吸引が互いに接近する過程で矯正力を徐々に形成し、レコーダのホストを取り付けて円滑に完全適合状態に達することに寄与するとともに、使用過程で、ある程度の横方向ロックの役割を果たすことを確保する。レコーダのホストの取り外しについて、取付方向と逆方向に力を入れてレコーダのホスト１００を抜け取れば、摘み取ることができる。
【００３６】
本考案により、バックミラーイベントデータレコーダは結束テープで固定する必要がなく、プロフェッショナルな改造を必要とせず、非常に短い時間でレコーダを速やかに取り付けることができる。本考案は、外観が簡潔で綺麗であり、迅速且つ使い勝手が良く組立て、安定して安全に用い、手軽に取ることができるという良い体験を達成した。取付・挿入から完全な位置決めまでスムーズに行うことができる。その上、取り付け後非常に安定しており、自動車走行中にひどい揺れ、急速な作動・停止によってレコーダ本体が外れることがないように確保し、二次損害の発生を回避することができる。
【００３７】
なお、本考案に係るレコーダのホスト１００の取付挿入方向は常に自動車車体から離れる方向を指して、車体が急旋回の場合、バックミラーイベントデータレコーダが瞬間の強い遠心力により飛ばされたり、がたついたりして、安全リスクが発生する状況を回避する。
【００３８】
以上、本考案は従来技術中の束縛、改造を用いる取付方法の代わりに、レコーダのホストにおける係合部材と前記ホルダ部材とが挿着される方式で取付固定を行う。なかでも、前記ホルダ部材が直接接着により固定され得、前記レコーダのホストが係合部材を介して直接ホルダ部材に挿入され取付を完成させることができ、改造する必要がなく、より取り付けやすくなり、取付効果が簡潔で綺麗である。かつ、磁気吸引による固定又はバックル式固定を直接用いることに対して、本考案に係る係合部材とホルダ部材が緊密に結合し、その固定がより安定しており、信頼性が高い。更に、前記ホルダ部材が連結プレートを備え、前記連結プレートの上側に上スライドレールが設けられており、下側に下スライドレールが設けられており、前記上スライドレールと下スライドレールによって前記係合部材が挟み込まれている。一方、前記係合部材は便利にワンステップで上スライドレールと下スライドレールとの間に挿入され得、着脱が簡単で、便利で、素早くなる。他方、イベントデータレコーダの固定の安定性と信頼性を十分に確保するように、前記上スライドレールと下スライドレールは係合部材を緊密に挟み込む。
【００３９】
その上、本考案により提供されるバックミラーイベントデータレコーダでは、前記連結プレートの右側が対応して半円であり、当該半円の辺縁に側方向位置規制フランジが設けられており、前記左側部の半円部分の側面と前記側方向位置規制フランジの内側面に当接される。側方向位置規制フランジは係合部材の位置をさらに制限することができ、連結部材の固定の信頼性をさらに向上することに有利である。その上、前記連結部材に位置決めのための磁気吸引部品が設けられている。前記磁気吸引部品は、係合部材がホルダ部材に挿入される場合、位置決めを助ける役割を果たし、連結プレートと係合部材との間の貼合力を増加し、さらに連結の安定性を確保することができる。
【００４０】
また、本考案に係るバックミラーイベントデータレコーダの取付挿入方向は常に自動車車体から離れる方向を指して、車体が急旋回の場合、バックミラーイベントデータレコーダが瞬間の強い遠心力により飛ばされたり、がたついたりして、安全リスクが発生する状況を回避する。本考案により、バックミラーイベントデータレコーダは結束テープで固定する必要がなく、プロフェッショナルな改造を必要とせず、非常に短い時間でレコーダを速やかに取り付けることができる。本考案は、外観が簡潔で綺麗であり、迅速且つ使い勝手が良く組立て、安定して安全に用い、手軽に取ることができるという良い体験を達成した。取付・挿入から完全な位置決めまでスムーズに行うことができる。その上、取り付け後非常に安定しており、自動車走行中にひどい揺れ、急速な作動・停止によってレコーダ本体が外れることがないように確保し、二次損害の発生を回避することができる。
【００４１】
なお、当業者にとって、本考案の技術的手段及びその趣旨に基づき等価置換又は変更を行うことができ、これらの変更又は置換は全て本考案に添付される特許請求の範囲に属すべきである。
【図１】
0003225502.tif 000003
【図２】
0003225502.tif 000004
【図３】
0003225502.tif 000005
【図４】
0003225502.tif 000006
【図５】
0003225502.tif 000007